(57)【要約】【課題】  プラズマディスプレイ装置におけるＡＰＣ（オートパワーコントロール）において、入力映像信号のノイズに起因して発生するとされる画面フリッカ現象の抑制を図る。【解決手段】  入力映像信号のフレーム画像単位で検出される平均輝度レベル（ＡＰＬ値）を元に、輝度レベルの変換テーブルに格納される制御値に基づいて輝度の再設定を行うＡＰＣにおいて、現在のフレーム画像と１つ前のフレーム画像とのＡＰＬ値の差分値が、閾値以下である場合は制御値を固定することで、ＡＰＣがノイズ成分に追従しないようにして、フリッカ現象の抑制を図る。このとき、上記閾値以下のＡＰＬ値の変化が開始されたときのフレーム画像のＡＰＬ値から、現在のＡＰＬ値までの総変化量が所定以上となるのに応じて、このような制御値の固定状態を解除するようにすれば、入力映像信号に応じた適切なＡＰＣ制御が図られる。【選択図】  図８
2005123957.tif 000002
【特許請求の範囲】
【請求項１】
入力映像信号について、フレーム画像ごとの平均輝度レベルを検出する平均輝度レベル検出手段と、
上記平均輝度レベル検出手段により検出される現在のフレーム画像の平均輝度レベルの情報に基づき、ルックアップテーブルから表示データに設定すべき輝度レベルについての制御値を読み出す読出手段と、
上記平均輝度レベル検出手段により検出された、現在のフレーム画像の平均輝度レベルと１つ前のフレーム画像の平均輝度レベルとの差分値を算出する第１の算出手段と、
上記第１の算出手段により算出された差分値が、第１の閾値を超えているか否かについて判別する第１の判別手段と、
上記第１の判別手段の判別結果に応じ、上記差分値が上記第１の閾値を超えているとされた場合は、上記読出手段により上記ルックアップテーブルから読み出される、現在のフレーム画像の平均輝度レベルに対応する上記制御値が出力されるように制御を行い、上記差分値が上記第１の閾値を超えてはいないとされた場合は、直前に出力された同じ制御値が出力されるように制御を行う第１の制御手段と、
上記第１の制御手段の制御により、上記同じ制御値の出力が開始されたときのフレーム画像よりも１つ前のフレーム画像の平均輝度レベルと、上記平均輝度レベル検出手段により検出される現在の平均輝度レベルとの差分値を算出する第２の算出手段と、
上記第２の算出手段により算出される差分値が、第２の閾値を超えたか否かについて判別する第２の判別手段と、
上記第２の判別手段の判別結果に応じ、上記差分値が上記第２の閾値を超えていないとされた場合には、引き続き上記同じ制御値が出力されるように制御を行い、上記差分値が上記第２の閾値を超えているとされた場合は、上記読出手段により上記ルックアップテーブルから読み出される現在の平均輝度レベルに対応した制御値が出力されるように制御を行う第２の制御手段と、
を備えることを特徴とする映像信号処理装置。
【請求項２】
上記第１の制御手段は、
現在のフレーム画像と１つ前のフレーム画像との平均輝度レベルの差分値について、現在のフレーム画像の方が１つ前のフレーム画像よりも平均輝度レベルが上昇する方向にある場合は、常に上記読出手段により上記ルックアップテーブルから読み出される、現在のフレーム画像の平均輝度レベルに対応した制御値が出力されるように制御を行う、
ことを特徴とする請求項１に記載の映像信号処理装置。
【請求項３】
入力映像信号について、フレーム画像ごとの平均輝度レベルを検出する平均輝度レベル検出手順と、
上記平均輝度レベル検出手順により検出したフレーム画像の平均輝度レベルの情報に基づき、ルックアップテーブルから表示データに設定すべき輝度レベルについての制御値を読み出す読出手順と、
上記平均輝度レベル検出手順により検出した、現在のフレーム画像の平均輝度レベルと１つ前のフレーム画像の平均輝度レベルとの差分値を算出する第１の算出手順と、
上記第１の算出手順により算出した差分値が、第１の閾値を超えているか否かについて判別する第１の判別手順と、
上記第１の判別手順の判別結果に応じ、上記差分値が上記第１の閾値を超えているとされた場合は、上記読出手順により上記ルックアップテーブルから読み出した、現在のフレーム画像の平均輝度レベルに対応する上記制御値が出力されるように制御を行い、上記差分値が上記第１の閾値を超えてはいないとされた場合は、直前に出力された同じ制御値が出力されるように制御を行う第１の制御手順と、
上記第１の制御手順の制御により、上記同じ制御値の出力が開始されたときのフレーム画像よりも１つ前のフレーム画像の平均輝度レベルと、上記平均輝度レベル検出手順により検出される現在の平均輝度レベルとの差分値を算出する第２の算出手順と、
上記第２の算出手順により算出した差分値が、第２の閾値を超えたか否かについて判別する第２の判別手段と、
上記第２の判別手順の判別結果に応じ、上記差分値が上記第２の閾値を超えていないとされた場合には、引き続き上記同じ制御値が出力されるように制御を行い、上記差分値が上記第２の閾値を超えているとされた場合は、上記読出手順により上記ルックアップテーブルから読み出した現在の平均輝度レベルに対応した制御値が出力されるように制御を行う第２の制御手順と、
を実行することを特徴とする映像信号処理方法。
【発明の詳細な説明】
【技術分野】
【０００１】
本発明は、例えばプラズマディスプレイ装置において、画像信号の平均輝度レベルの情報に基づくオートパワーコントロール制御を行う映像信号処理装置とその方法に関する。
【背景技術】
【０００２】
画像表示のためのディスプレイ装置として、プラズマディスプレイ装置が普及している。
プラズマディスプレイの表示原理としては、周知のようにして、例えば２枚のガラス基板を対向させることで形成した空間内にガスを封入したうえで、このガス内に対して電圧を印加して真空放電を起こさせる。これにより、ガラス基板の空間内においては、ガスが電離してプラズマ状態となり紫外線が放射される。ここで、ガラス基板間の空間内に蛍光体層を形成しておくと、この蛍光体層では、上記紫外線が照射されることで、所定色の可視光を放射する。このような蛍光体としてＲ，Ｇ，Ｂの３色に対応するものを形成しておき、例えばマトリクス状に形成した表示セルごとに上記した放電発光現象が得られるようにすることで、カラー画像表示が可能なプラズマディスプレイが構成されることになる。
【０００３】
また、このようなプラズマディスプレイを表示駆動する方式としては、サブフィールド方式が知られている。
サブフィールド方式は、１フィールドを、複数のサブフィールドに分割して、各サブフィールドごとに、表示セルの発光期間を制御することで、各表示セルの階調（輝度）を表現する駆動方式である。この際、１画素を形成するＲ，Ｇ，Ｂの各表示セルの階調を制御することで、画面全体の階調バランスだけではなく、１画素ごとの色再現が行われることになる。つまり、カラー画像の表現が可能となる。
【０００４】
このような表示原理、駆動方法が採用されるプラズマディスプレイ装置では、一般的にパネル部の消費電力が増大する傾向となることが知られている。そして、このようなプラズマディスプレイ装置において、例えば入力映像信号どおりに輝度再現を行おうとすると、パネル部の消費電力が過大となり、また、パネル部に供給すべき電流レベルの変化量が大きくなって、動作が不安定となってしまう可能性がある。
【０００５】
そこで、一般的にプラズマディスプレイ装置においては、入力映像信号の平均輝度レベル（ＡＰＬ：Average Picture Level）の情報に基づいて、オートパワーコントロール（ＡＰＣ）と呼ばれる消費電力制御を行うようにされている。
このようなＡＰＣでは、先ずは入力映像信号からフレーム画像単位の平均輝度レベルを検出するようにされる。そして、予め用意された輝度レベルの変換テーブル（ルックアップテーブル：ＬＵＴ）を参照し、このように検出された平均輝度レベルに対応する制御値を読み出し、この制御値に基づいて各画素についての輝度レベルの設定を行うようにされる。
このとき、上記ＬＵＴには、フレーム画像の平均輝度レベルとして所要値よりも高い値に対しては、上記制御値として、表示データに設定されるべき輝度レベルを下げるような値を対応づけておく。また、逆にフレーム画像の平均輝度レベルとして比較的低いとされる値に対しては、輝度レベルを上げるような制御値を対応づけておくようにされる。
これにより、フレーム画像の平均輝度レベルが高いとされる場合は、表示画像の輝度レベルが下げられる傾向となり、また、逆に低いとされる場合は輝度レベルを上昇傾向とする制御が行われるものとなる。従ってこの場合、パネル部の消費電力は安定傾向なり、結果的にパネル部の消費電力の抑制が図られるようになる。
【０００６】
なお、このようなプラズマディスプレイ装置におけるＡＰＣ制御に関する従来技術としては、例えば下記特許文献を挙げることができる。
【特許文献１】特開２００３−２４４４８０号公報
【発明の開示】
【発明が解決しようとする課題】
【０００７】
上記のようにして、ＡＰＣ制御では、入力映像信号から得られる平均輝度レベルの情報に応じたＬＵＴの値に基づいて、輝度レベルが再設定されるものであるが、このとき、入力される映像信号には、例えば量子化の過程などで発生したノイズ成分が重畳されている場合がある。そして、このように入力映像信号にノイズが発生していると、本来のフレーム画像の平均輝度レベルが正しく検出されなくなってしまう可能性があり、これに伴って適正なＡＰＣ制御が行われなくなってしまうという問題が生じる。
【０００８】
例えばこの際、本来の入力映像信号では、平均輝度レベルの差のほとんどない画像で遷移するものとされていたとすると、ノイズ成分が発生した場合は、ほぼ同一とされるべき各フレーム画像間の平均輝度レベルに差が生じてしまうこととなる。そして、このようなノイズ成分に起因した平均輝度レベルの差が生じると、ＡＰＣ制御では、この差分に追従した輝度レベルの設定が行われてしまい、本来は同等の輝度により再現されるべき各フレーム画像間に、明るさの差が生じてしまうことになる（いわゆる画面フリッカ現象）。
このようなフリッカ現象は、場合によってはそのちらつきがユーザによって容易に認識されてしまうものであり、ユーザに違和感を与えるものとして以前から問題とされていた。
【０００９】
なお、上記した特許文献１に記載の技術では、以下に説明するような動作を行うことで画面フリッカ現象の抑制を図るようにしている。
すなわち、この特許文献１では、現在のフレーム画像のＡＰＬ値と、１フレーム前のＡＰＬ値との差を算出した結果に基づき、その差が所定以下である場合には、フレーム画像間の平均輝度レベルの変化がノイズによるものであるとみなし、ＬＵＴの参照値を変化させないように制御を行っている。
具体的には、フレーム画像間の平均輝度レベルの差について、先ずは第１の閾値、及び第２の閾値を設ける。そして、平均輝度レベルの差が上記第１の閾値以下では、ＬＵＴの値を維持するようにしている。つまり、上記のようにノイズ成分であるとみなされる場合は、ＬＵＴの値（ＡＰＣ制御値）を固定するようにしている。
また、平均輝度レベルの差が第１の閾値〜第２の閾値の範囲内では、固定された制御値に、所定値を加えた値を出力するようにしたものである。
【００１０】
しかしながら、このような特許文献１の技術では、実際の映像信号の平均輝度レベルの変化に対応した制御を行うことが困難となる。
例えば、映像信号の平均輝度レベルの変化としては、上記した第１閾値を超えない差で、フレーム画像ごとに徐々に変化していく場合も考えられる。そして、このような変化が起こった場合、上記のような制御によると、ＡＰＣ制御値が一定に維持されたままとなり、実際の平均輝度レベルの変化に追従した適正なＡＰＣ制御を行うことが困難となってしまう。
【００１１】
つまり、このような特許文献１に記載の技術では、フリッカ現象は効果的に抑制できるが、実際の入力映像信号とは大幅に輝度の異なる画像が表示されてしまう可能性がある。
また、この場合、実際には平均輝度レベルがかなり低下していたとしても、上記のようにＡＰＣ制御値が固定されたままとなることで、有効な消費電力抑制効果が得られなくなってしまうという問題も生じる可能性がある。
【課題を解決するための手段】
【００１２】
そこで、本発明では以上のような問題点に鑑み、映像信号処理装置として以下のように構成することとした。
すなわち、先ず、入力映像信号について、フレーム画像ごとの平均輝度レベルを検出する平均輝度レベル検出手段を備える。
そして、上記平均輝度レベル検出手段により検出される現在のフレーム画像の平均輝度レベルの情報に基づき、ルックアップテーブルから表示データに設定すべき輝度レベルについての制御値を読み出す読出手段と、上記平均輝度レベル検出手段により検出された、現在のフレーム画像の平均輝度レベルと１つ前のフレーム画像の平均輝度レベルとの差分値を算出する第１の算出手段と、上記第１の算出手段により算出された差分値が、第１の閾値を超えているか否かについて判別する第１の判別手段とを備える。
さらに、上記第１の判別手段の判別結果に応じ、上記差分値が上記第１の閾値を超えているとされた場合は、上記読出手段により上記ルックアップテーブルから読み出される、現在のフレーム画像の平均輝度レベルに対応する上記制御値が出力されるように制御を行い、上記差分値が上記第１の閾値を超えてはいないとされた場合は、直前に出力された同じ制御値が出力されるように制御を行う第１の制御手段を備えるようにする。
その上で、上記第１の制御手段の制御により、上記同じ制御値の出力が開始されたときのフレーム画像よりも１つ前のフレーム画像の平均輝度レベルと、上記平均輝度レベル検出手段により検出される現在の平均輝度レベルとの差分値を算出する第２の算出手段と、上記第２の算出手段により算出される差分値が、第２の閾値を超えたか否かについて判別する第２の判別手段とを備え、
さらに、上記第２の判別手段の判別結果に応じ、上記差分値が上記第２の閾値を超えていないとされた場合には、引き続き上記同じ制御値が出力されるように制御を行い、上記差分値が上記第２の閾値を超えているとされた場合は、上記読出手段により上記ルックアップテーブルから読み出される現在の平均輝度レベルに対応した制御値が出力されるように制御を行う第２の制御手段を備えるようにした。
【００１３】
また、本発明では、映像信号処理方法として以下のようにすることとした。
つまり、先ず、入力映像信号について、フレーム画像ごとの平均輝度レベルを検出する平均輝度レベル検出手順を実行し、さらに、上記平均輝度レベル検出手順により検出したフレーム画像の平均輝度レベルの情報に基づき、ルックアップテーブルから表示データに設定すべき輝度レベルについての制御値を読み出す読出手順と、上記平均輝度レベル検出手順により検出した、現在のフレーム画像の平均輝度レベルと１つ前のフレーム画像の平均輝度レベルとの差分値を算出する第１の算出手順とを実行する。
そして、上記第１の算出手順により算出した差分値が、第１の閾値を超えているか否かについて判別する第１の判別手順と、上記第１の判別手順の判別結果に応じ、上記差分値が上記第１の閾値を超えているとされた場合は、上記読出手順により上記ルックアップテーブルから読み出した、現在のフレーム画像の平均輝度レベルに対応する上記制御値が出力されるように制御を行い、上記差分値が上記第１の閾値を超えてはいないとされた場合は、直前に出力された同じ制御値が出力されるように制御を行う第１の制御手順とを実行する。
その上で、上記第１の制御手順の制御により、上記同じ制御値の出力が開始されたときのフレーム画像よりも１つ前のフレーム画像の平均輝度レベルと、上記平均輝度レベル検出手順により検出される現在の平均輝度レベルとの差分値を算出する第２の算出手順と、上記第２の算出手順により算出した差分値が、第２の閾値を超えたか否かについて判別する第２の判別手段とを実行し、
さらに、上記第２の判別手順の判別結果に応じ、上記差分値が上記第２の閾値を超えていないとされた場合には、引き続き上記同じ制御値が出力されるように制御を行い、上記差分値が上記第２の閾値を超えているとされた場合は、上記読出手順により上記ルックアップテーブルから読み出した現在の平均輝度レベルに対応した制御値が出力されるように制御を行う第２の制御手順を実行するようにした。
【００１４】
上記構成によれば、フレーム画像間の平均輝度レベルの差が、上記第１の閾値内で収まるときは、輝度レベルについての制御値は、直前に出力されたものと同じ値が出力される。つまり、フレーム画像間の平均輝度レベルが、ノイズ成分によるものと推測される微少な範囲で変化する場合は、制御値が固定され、これによってノイズ成分による平均輝度レベルの変化については、ＡＰＣ制御が追従しないようにすることができる。
また、上記構成によれば、このように第１の閾値以下の範囲で平均輝度レベルが変化し、制御値を固定とした以降は、このような第１の閾値以下の平均輝度レベルの変化が開始されたときのフレーム画像の平均輝度レベルと、現在のフレーム画像の平均輝度レベルとの差分値が、第２の閾値によって比較される。そして、この差分値が第２の閾値を超えるのに応じて、現在のフレーム画像に対応した制御値が出力されるものとなる。
つまり、本発明では、このように第１の閾値以下により徐々に平均輝度レベルが変化していく場合は、制御値が固定され続けるものとはならず、上記のように平均輝度レベルの総変化量が所定値を超えるのに応じて、この固定状態が解除されるものである。
【発明の効果】
【００１５】
上記のように本発明によれば、フレーム画像間の平均輝度レベルが、ノイズ成分によるものと推測される微少な変化範囲で推移する場合は、輝度レベル設定についての制御値が固定される。つまり、ノイズ成分による平均輝度レベルの変化に、ＡＰＣ制御を追従させないようにすることができるものである。
そして、このようにノイズ成分による平均輝度レベルの変化にＡＰＣ制御を追従させないようにすることができることで、所謂画面フリッカ現象と呼ばれる画面のちらつきを防止することができる。
【００１６】
その上で、本発明では、上記もしたように所要以下の範囲で平均輝度レベルが徐々に変化していく場合は、その総変化量が所定値（第２の閾値）を超えるのに応じて、上記した制御値の固定状態が解除される。そして、これによっては、例えばこのような徐々の変化が映像信号自体の変化によるものである場合に制御値が固定され続けてしまい、適切なＡＰＣ制御が行われなくなってしまうといった事態を、効果的に防止することができるようになる。
【００１７】
このようにして本発明によれば、ノイズ成分にＡＰＣ制御を追従させずに画面フリッカ現象を防止することと、映像信号自体の変化による平均輝度レベルの変化に追従して、適切なＡＰＣ制御を図ることの両立を図ることができる。
【発明を実施するための最良の形態】
【００１８】
以下、発明を実施するための最良の形態のうちの１つの形態（以下、実施の形態とする）について説明していく。
図１は、本発明の実施の形態としての映像信号処理装置が備えられる、プラズマディスプレイ装置の表示パネル７の構造を示している。なお、この場合のプラズマディスプレイ装置としては、ＡＣ型（交流型）を例に挙げることとする。表示パネル７としては、３電極構造による面放電型の構成を採る。
【００１９】
この図１に示すようにして、表示パネル７の最前面に、透明の前面ガラス基板１０１が配置される。そして、この前面ガラス基板１０１の背面側に対して、維持電極Ｘ（１０２Ａ）及び走査電極Ｙ（１０２Ｂ）が配置される。維持電極Ｘ（１０２Ａ）及び走査電極Ｙ（１０２Ｂ）は、例えば図示するようにして、所定の間隔を有して平行に配置される。この対となる維持電極Ｘ（１０２Ａ）及び走査電極Ｙ（１０２Ｂ）が、１つの「行」としてのラインを形成することになる。また、これら維持電極Ｘ（１０２Ａ）、走査電極Ｙ（１０２Ｂ）は、それぞれ、透明導電膜１０２ａと金属膜（バス導体）１０２ｂとを組み合わせて形成される。
【００２０】
前面ガラス基板１０１の背面側に対しては、上記のようにして維持電極Ｘ、走査電極Ｙが配置された上で、さらに、例えば低融点ガラスから成る誘電体層１０３が配置され、この誘電体層１０３の背面側に対して、例えばＭｇＯなどによる保護膜１０４が形成される。
【００２１】
また、背面ガラス基板１０５の前面側には、データ電極Ｄ（１０７）が、維持電極Ｘ、走査電極Ｙに対して直交する方向に配置される。データ電極は、「列」としてのラインを形成する。また、隣り合うデータ電極Ｄの間には、隔壁１０６を形成するようにしている。
そして、各データ電極Ｄが配置される背面ガラス基板上面部と、その両側の隔壁１０６の側壁部を覆うようにして、Ｒ，Ｇ，Ｂの各色の蛍光体層１０８Ｒ、１０８Ｇ、１０８Ｂが順次配列されるようにして形成される。
【００２２】
このような構造を有した上で、隔壁１０６の前面側端部が、実際には、保護膜１０４に対して当接するようにして組み合わされる。このような構造により、蛍光体層１０８Ｒ、１０８Ｇ、１０８Ｂが形成されている放電空間１０９が形成されることになる。この放電空間１０９は、真空としたうえで例えばネオン(Ne)、キセノン(Xe)、ヘリウム(He)などのガスが封入される。
そして、このガスが封入された放電空間１０９内で、維持電極Ｘ、走査電極Ｙ間での面放電が生じることで紫外線が放射され、この紫外線により蛍光体層１０８が励起されて可視光としての表示光を放射することになる。
【００２３】
図２は、上記した表示パネル７の構造を前提とした駆動回路系の構成を示している。
例えば表示パネル７全体としてみた場合には、維持電極Ｘ（１０２Ａ）は、上方向から下方向にかけて水平に電極Ｘ1〜Ｘnが配列され、走査電極Ｙ（１０２Ｂ）も同様にして、上方向から下方向にかけて水平に、電極Ｙ1〜Ｙnが配列される。そして、［電極Ｘ1、電極Ｙ1］［電極Ｘ2、電極Ｙ2］・・・［電極Ｘn、電極Ｙn］の各組により１つの「行」方向のラインを形成する。
また、データ電極Ｄ（１０７）は、例えば左から右方向にかけて垂直方向にデータ電極Ｄ1〜Ｄmが配列されて、「列」方向のラインを形成する。
そして、対となる維持電極Ｘ1〜Ｘn、走査電極Ｙ1〜Ｙnから成る行方向ラインと、データ電極Ｄ1〜Ｄmとしての列方向のラインとの各交点が、１つのセル（表示セル）３０として形成されることになる。
【００２４】
ここでいうセル３０とは、上記のようにして、維持電極Ｘ、走査電極Ｙとデータ電極Ｄとが交差する位置から成る表示パネルの構造体部分を指すものである。そして、このセル３０は、図１に示した表示パネル７の構造に依れば、図１及び図３に示すようにして、対応して配置される蛍光体層１０８の色に応じて、Ｒのセル３０Ｒ、Ｇのセル３０Ｇ、Ｂのセル３０Ｂとが得られることになる。そして、水平方向に隣接して並ぶＲ，Ｇ，Ｂのセル３０Ｒ、３０Ｇ、３０Ｂの組により、カラー表現が可能な１つの画素３１が形成されることになる。
【００２５】
また、この図２示される維持電極ドライバ２２、走査電極ドライバ２３、データ電極ドライバ２１は、それぞれ上記した維持電極Ｘ1〜Ｘn、維持電極Ｙ1〜Ｙn、データ電極Ｄ1〜Ｄmを、後に図５により説明する表示駆動タイミングに基づいて駆動するようにされる。これによって、以下で説明するようにして表示パネル７に所要の画像が表示されるものとなる。
【００２６】
続いては、上記構造による表示パネル７に対する表示駆動について説明する。
ここでは、いわゆるサブフィールド方式により画像表示を行うこととしている。サブフィールド方式では、図４に示すようにして、１フィールド分（＝１６．７ｍｓ）の期間を複数のサブフィールドに分割する。図４では、１フィールド期間を８つのサブフィールドSF1〜SF8に分割することとしている。
ここで、サブフィールドＳＦ１〜ＳＦ８の各々に対応する１つのサブフィールド期間は、図示するようにして、予備放電期間Ａ、書き込み放電期間Ｂ、維持放電期間Ｃとから成る。各期間の動作については後述する。
【００２７】
１フィールド期間を８つのサブフィールドに分割した場合には、各サブフィールドSF1〜SF8により表現すべき輝度の相対比率について、１：２：４：８：１６：３２：６４：１２８となるようにバイナリーの重み付けを設定する。そして、この設定した重み付けに応じて、各サブフィールドSF1〜SF8により表現すべき輝度を設定する。この輝度設定は、実際には維持放電期間Ｃにおいて維持電極Ｘ，走査電極Ｙに対して、面放電を発生させるために印加する維持放電パルス数により設定することになる。
ここで、維持放電パルスを印加する際のパルス出力周期は一定であるので、輝度の重み付けが大きいほど維持放電パルス数が増加して維持放電期間Ｃは長くなる。これに対して、予備放電期間Ａ、及び書き込み放電期間Ｂの長さは、行方向ラインの総数ｎによって決まり、輝度の重みに付けにかかわらず一定となる。
そして、このようなサブフィールドSF1〜SF8を利用した発光／非発光の組み合わせによっては、Ｒ，Ｇ，Ｂの各セル毎に２５６階調を表現することが可能になる。
【００２８】
図５の波形図は、１サブフィールド期間における表示駆動タイミングを示している。
先ず、１サブフィールド期間において最初の期間となる予備放電期間Ａは、直前のサブフィールド期間における発光状態の影響をキャンセルして、後の書き込み放電期間Ｂにおいて安定した書き込み放電特性を得るための期間である。
このために、この予備放電期間Ａにおいては、図示するように維持電極Ｘ1〜Ｘnに対して、同時に、電位Ｖpによる予備放電パルスＰpを印加するようにされる。この予備放電パルスＰpによっては、強度の面放電が生じて、誘電体層１０３には大量の壁電荷が蓄積されるが、その後に、走査電極Ｙ1〜Ｙ2に対して、図のように一斉に消去パルスＰpeを印加することにより、この壁電荷を消去して不必要な電荷を除去するようにされている。
【００２９】
続く書き込み放電期間Ｂでは、ライン順次によりアドレッシングを行って、このサブフィールド期間におけるセル３０ごとの発光／非発光を設定する。つまり、書き込み放電期間Ｂは、１サブフィールド期間により発光させるべきセル３０を選択する期間となる。
この書き込み放電期間Ｂでは、先ず維持電極Ｘを、走査ベースパルスとしての、例えば図のような接地電位（０V）で維持するようにされる。このように維持電極Ｘに走査ベースパルスが与えられることで、後述もするように、この間にデータ電極Ｄに対してデータパルスＰdを印加したとしても、データ電極Ｄと維持電極Ｘとの間で放電が生じないようにされている。
【００３０】
そして、この状態のもとで、走査電極Ｙ1〜Ｙnに対して、電位Ｖwによる負極性の走査パルスＰwを順次印加していく。つまり、水平ラインについて、例えば上から下方向にかけて順次スキャンするようにして選択を行っていく。そして、走査パルスＰwの印加によりライン選択が行われている期間内において、データ電極Ｄ1〜Ｄmのうちで、その選択されたラインにおいて発光させるべきセルに対応したデータ電極Ｄに対して、電位Ｖdによる正極性のデータパルスＰdを印加する。
上記走査パルスＰwが印加されている選択中の水平ラインにおいて、データパルスＰdが印加されたセル３０では、走査電極Ｙとデータ電極Ｄとの間で対向放電が発生して壁電荷が生じる。
また、この際の維持電極Ｘに対しては、上記もしたように走査ベースパルスが与えられていることから、データパルスＰdがうち消されることになり、維持電極Ｘとデータ電極Ｄとの間での放電は発生しないものとなる。
【００３１】
続く維持放電期間Ｃは、上記書き込み放電期間Ｂでのアドレッシングにより発光させるべきものとして設定されたセル３０に対する発光状態を維持するための期間である。
このためには、先ず、維持電極Ｘ1〜Ｘnに対して、負極性の電位Ｖsによる所定パルス幅の維持放電パルスＰsを同時に印加する。そして、これら維持電極Ｘ1〜Ｘnに対する維持放電パルスＰsの印加が終了した後に、走査電極Ｙ1〜Ｙnに対して、同様にして、負極性の電位Ｖsによる所定パルス幅の維持放電パルスＰsを同時に印加する。これら走査電極Ｙ1〜Ｙnに対する維持放電パルスの印加が終了した後は、同様にして、維持電極Ｘ1〜Ｘn、走査電極Ｙ1〜Ｙnに対して、交互に維持放電パルスＰsを印加していくようにされる。なお、このとき、走査電極Ｙ側に印加する維持放電パルスは、上記維持電極Ｘ側に印加する維持放電パルスよりも位相が例えば１８０°遅れるようにされている。
このように維持放電パルスＰsが印加されるごとに、先の書き込み放電期間Ｂにおいて発光させるべきとして設定されたセル、つまり、壁電荷の蓄積が行われたセル３０において、維持電極Ｘ、走査電極Ｙとの間で面放電が生じる。
【００３２】
ここで、図６により、このような表示パネル７における発光動作について説明しておく。この図においては、本実施の形態としての構造の表示パネル７において、１つのセル３０に相当する部位を断面図により示している。なお、この図において図１と同一部分には同一符号を付して説明を省略する。
上記のようにして、書き込み放電期間ＢにおいてデータパルスＰdが印加されたことにより壁電荷が蓄積されたセル３０では、維持放電期間Ｃにおいて、維持電極Ｘ、走査電極Ｙに対して交互に維持放電パルスＰsが印加されるのに応じて面放電が生じる。この面放電は、放電空間１０９内に封入されたガスをプラズマ状態とするプラズマ放電であり、これにより、放電空間１０９内では、紫外線が放射されることになる。
そして、この紫外線の照射に反応して蛍光体層１０８からは可視光が放射される。この可視光は、蛍光体層の実際が、Ｒ蛍光体層１０８Ｒ、Ｇ蛍光体層１０８Ｇ、Ｂ蛍光体層１０８Ｂのいずれかとされていることに対応して、Ｒ，Ｇ，Ｂのいずれかの色により放射されるものとなる。
そして、この可視光は、蛍光体層１０８にて反射されるようにして、保護膜１０４、誘電体層１０３、前面ガラス基板１０１を透過して、表示光として前面側に照射されることになる。
【００３３】
上記のようにして各セル３０は、上記図６により説明した原理によって、点灯するようにして発光制御される。そして、このような点灯の動作が、先に図４及び図５により説明したサブフィールド方式による表示駆動によって行われることで、各セル３０は、１フィールド期間内において、２５６階調の範囲での所要の輝度が得られるようにして発光制御されることになる。
【００３４】
ここで、上記説明のように表示駆動されるプラズマディスプレイ装置においては、先にも述べたように原理的に表示パネル７における消費電力が比較的大きなものとなってしまうことから、従来よりオートパワーコントロール（ＡＰＣ）と呼ばれる発光制御を行うようにされている。
図７は、これまでに説明してきた表示パネル及びパネル駆動部を備えたプラズマディスプレイ装置内部に備えられる、主にこのようなＡＰＣの制御動作を行うための構成としての、本実施の形態の映像信号処理装置の構成例について示している。
先ず、この図７において、プラズマディスプレイ装置に対して入力された映像信号は、図示するＲ（赤）Ｇ（緑）Ｂ（青）信号の形で映像信号処理装置におけるＡＰＬ（Average Picture Level）検出回路１に対して入力される。
ＡＰＬ検出回路１は、入力されるＲＧＢ信号に基づき、フレーム画像単位で平均輝度レベル（ＡＰＬ値）の検出を行う。例えば、このようなＡＰＬ値は、フレーム画像中の全画素データの輝度レベルを積分した結果に基づいて算出される。そして、このように検出したＡＰＬ値の情報を、システムコントローラ２に対して供給する。
なおこの場合、入力映像信号としての上記ＲＧＢ信号は、画像表示に利用されるべく、図示されない後段の所要部位に対しても供給される。
【００３５】
システムコントローラ２は、ＣＰＵ（Central Processing Unit）、及び図示するＲＯＭ（Read Only Memory）３、ＲＡＭ（Random Access Memory）４を備えたマイクロコンピュータとされ、例えばプラズマディスプレイ装置の全体制御を行う。
上記ＲＯＭ３には、システムコントローラ２が各部を制御する上で必要となる、各種のプログラムや設定データが格納される。
特に本実施の形態の場合、このＲＯＭ３に対しては、ＡＰＣ制御動作として輝度レベルの再設定を行う際に必要となる、ルックアップテーブル（ＬＵＴ）３ａが格納される。
このルックアップテーブル３ａには、ＡＰＬ検出回路１にて検出されるフレーム画像のＡＰＬ値の各値と対応づけられて、輝度レベルの再設定を行うための制御値の情報（以下ＡＰＣ制御値とする）が記憶されている。このようなＡＰＣ制御値としては、例えばフレーム画像のＡＰＬ値として高いとされる値に対応づけては、表示データの輝度レベルを下げるような値が設定されている。また、ＡＰＬ値として低いとされる値に対応しては、輝度レベルを上げるような値が設定されている。
システムコントローラ２は、このようなルックアップテーブル３ａから、上記ＡＰＬ検出回路１より供給されるＡＰＬ値の情報に対応づけられたＡＰＣ制御値を読み出すようにされる。そして、このように読み出されたＡＰＣ制御値の情報に基づいて、表示データの輝度レベルが再設定されることで、映像信号の平均輝度レベルが高いとされる場合では、そのレベルに応じて表示輝度を減少させるように、輝度を所定量低下させる制御が行われ、これに伴ってサブフィールド期間における発光量が減少するようにされる。つまり、これによって消費電力の削減を図ることができるものである。
また、逆に映像信号の平均輝度レベルが低いとされる領域では、そのレベルに応じて表示輝度を増加させるように、輝度を所定量増加させる制御が行われることになるから、結果としてパネル駆動のための電流レベルを安定化傾向とすることができるようになる。
【００３６】
また、この場合、上記ＲＯＭ３に対しては、システムコントローラ２が、後の図９に示すような本例としてのＡＰＣ制御動作を実現するための、図示するＡＰＣプログラム３ｂが格納される。
【００３７】
また、上記ＲＡＭ４は、システムコントローラ２の作業領域として利用される。
特にこの場合、上記ＡＰＬ検出回路１から供給されるＡＰＬ値の情報などが一時保持される。
【００３８】
セレクタ５は、システムコントローラ２によりルックアップテーブル３ａより読み出され、供給されるＡＰＣ制御値の情報を一時保持する。そして、セレクタ５は、システムコントローラ２より供給される制御信号に基づき、このように保持したＡＰＣ制御値の情報の出力を維持するか、或いはシステムコントローラ２より新たに供給されたＡＰＣ制御値の情報に出力を切換られるようにして制御される。
なお、このようなセレクタ５としては、例えばフリップフロップによって構成されればよい。
【００３９】
表示輝度レベル制御回路６は、セレクタ５より出力されたＡＰＣ制御値の情報に基づいて各画素データについての輝度を設定する。
このように表示輝度レベル制御回路６により設定された輝度の情報は、表示制御に用いられるべく、図示されない後段の所要部位（例えばパネルドライバ）に対して供給される。
【００４０】
ここで、上記構成による本例の映像信号処理装置において、ＡＰＣ制御が行われる下では、例えば入力映像信号（ＲＧＢ信号）にノイズが発生している場合に、先にも説明したようにＡＰＣ制御がノイズ成分に追従して、実際の入力信号に応じた適切なＡＰＣ制御を行うことができなくなる可能性がある。
このような事態を防止すべく、本例では映像信号処理装置として、次の図８に示すような動作を行うものとしている。
図８は、本例の映像信号処理装置が行うＡＰＣ制御動作について、模式的に示した図である。
この図においては、入力映像信号に基づくフレーム画像のＡＰＬ値の遷移を示している。本例では、このようにフレーム画像のＡＰＬ値が徐々に変化していく場合として、図８（ａ）、図８（ｂ）、図８（ｃ）に示すような３つのパターンを想定している。
【００４１】
先ず、図８（ａ）では、時間経過と共にフレーム画像のＡＰＬ値が徐々に上昇してく場合が示されている。
このようにＡＰＬ値が徐々に上昇していく場合、本例では、常にフレーム画像のＡＰＬ値に対応するルックアップテーブル３ａの参照値を出力するものとしている。
つまり、例えば図示するようにフレーム画像のＡＰＬ値が「Ａ」であるときに、このＡＰＬ値「Ａ」に対応するルックアップテーブル３ａの参照値（図中ＬＵＴ値）「ａ」を出力していた場合において、次のフレーム画像として例えばＡＰＬ値「Ａ＋１」が得られた場合は、このＡＰＬ値「Ａ＋１」に対応したルックアップテーブル３ａの参照値「ｂ」を出力する。また、図示するようにこのＡＰＬ値「Ａ＋１」のフレーム画像の次に、例えばＡＰＬ値「Ａ＋２」となるフレーム画像が得られた場合は、ＡＰＬ値「Ａ＋２」に対応するルックアップテーブル３ａの参照値「ｃ」を出力するものである。
【００４２】
また、図８（ｂ）では、フレーム画像のＡＰＬ値が徐々に低下してく場合の一例が示されている。
このようにＡＰＬ値が徐々に低下していく場合については、現在得られているフレーム画像のＡＰＬ値と１つ前のフレーム画像のＡＰＬ値との差分値と、予め設定された閾値ｋの値とに基づいてＡＰＣ制御を行うものとする。具体的には、現在のフレーム画像のＡＰＬ値と１つ前のフレーム画像のＡＰＬ値との差分値が、上記閾値ｋを超えているか否かの判別結果に基づいて、出力すべきＬＵＴ値を決定するものである。
この場合、例えば上記閾値ｋとして「５」が設定されている下で、図のようにある時点でフレーム画像のＡＰＬ値として「Ａ」が得られ、ＡＰＣ制御値として、このＡＰＬ値「Ａ」に対応したルックアップテーブル３ａの参照値「ａ」が出力されていたとすると、次のフレーム画像として例えばＡＰＬ値「Ａ−１」が得られた場合は、直前に出力されたルックアップテーブル３ａの参照値「ａ」を出力する。
つまり、このように現在のフレーム画像と１つ前のフレーム画像のＡＰＬ値の差分値（この場合は「１」）が、閾値ｋ＝５を超えない場合は、出力すべきＡＰＣ制御値として、直前に出力されたＬＵＴ値と同じＬＵＴ値を出力するものである。
【００４３】
これに対し、図示するように次のフレーム画像として、例えばＡＰＬ値「Ａ−７」が検出された場合は、ＡＰＣ制御値として、このＡＰＬ値「Ａ−７」に対応するルックアップテーブル３ａの参照値「ｄ」を出力する。つまり、この場合は現在のフレーム画像と１つ前のフレーム画像のＡＰＬ値の差分値が「６」となり、この場合の閾値ｋ＝５を超えるから、ＡＰＣ制御値を、現在のフレーム画像のＡＰＬ値に対応したＬＵＴ値に追従させるようにするものである。
【００４４】
このような動作によれば、現在のフレーム画像と１つ前のフレーム画像とのＡＰＬ値の差が、上記閾値ｋにより設定されるノイズ成分による差の範囲内であるとされる場合には、ＡＰＣ制御値として、直前に出力されたＡＰＣ制御値と同じ値が出力されるようになる。すなわち、ＡＰＬ値の変化量が、ノイズ成分によるものであると推測される微少なものである場合には、ＡＰＣ制御値が直前の値に固定されて、ＡＰＣ制御がこのようなノイズ成分に不要に追従することを防止できるようになる。
また、現在のフレーム画像と１つ前のフレーム画像とのＡＰＬ値の差が、上記閾値ｋを超えて、このような変化がノイズ成分によるものではないと推測される場合には、現在のフレーム画像のＡＰＬ値に対応したルックアップテーブル３ａの参照値が出力される。これによって、ＡＰＬ値の変化が映像信号自体の変化（本来の信号変化）によるものであるとされる場合に、この輝度変化にＡＰＣ制御を追従させて、入力映像信号に応じた適切なＡＰＣ制御動作を図ることができる。
【００４５】
さらに、図８（ｃ）は、フレーム画像のＡＰＬ値が徐々に低下してく場合として、他の例が示されている。
この図８（ｃ）では、フレーム画像のＡＰＬ値が「Ａ」→「Ａ−１」→「Ａ−３」→「Ａ−４」→「Ａ−７」と変化していく場合が示されている。
この場合、先の図８（ｂ）にて説明した閾値ｋに基づいた制御が行われることによっては、ＡＰＬ値「Ａ」のフレーム画像からＡＰＬ値「Ａ−１」のフレーム画像への遷移時には、その差分値が閾値ｋを超えないから、図のようにＡＰＣ制御値はＬＵＴ値＝ａにより固定される。同様に、ＡＰＬ値「Ａ−３」のフレーム画像からＡＰＬ値「Ａ−４」のフレーム画像への遷移時にも、差分値は閾値ｋを超えないことから、引き続きＡＰＣ制御値は固定される。
【００４６】
そして、仮に、このように閾値ｋにのみ基づいた制御が行われる下では、ＡＰＬ値「Ａ−４」から次のＡＰＬ値「Ａ−７」のフレーム画像への遷移時にも、ルックアップテーブル３ａの参照値は固定されることになる。
つまり、このように閾値ｋに基づいた制御のみが行われる場合は、次のフレーム画像として、この閾値ｋを超えるような差分値となる画像が現れない限り、徐々にＡＰＬ値が低下しているにも関わらずこの低下にＡＰＣ制御が追従しなくなってしまう。そしてこのとき、例えばこのような微少な変化の継続が、入力映像信号自体の変化によるものであった場合には、このようにＡＰＣ制御が追従しなくなることで、入力映像信号に応じた適切なＡＰＣ制御を行うことができなくなってしまうことになる。
【００４７】
このような事態を防止するために、本例では、上記した閾値ｋに基づく制御と共に、図のような閾値Ｌに基づいた制御も並行して行うものとしている。つまり本例では、ＡＰＬ値の低下が開始された際のフレーム画像のＡＰＬ値（この場合は図中「Ａ」）と、現在得られているフレーム画像のＡＰＬ値との差分値を逐次算出するようにし、この差分値が上記閾値Ｌを超えた場合には、現在のＡＰＬ値に対応したルックアップテーブル３ａの参照値を出力するようにする。
例えばこの場合であれば、ＡＰＬ値の低下が開始されたフレーム画像「Ａ」とのＡＰＬ値の差分値が、閾値Ｌ＝５よりも大きくなる「Ａ−７」のフレーム画像の時点で、ＡＰＣ制御値が現在のＡＰＬ値に対応したＬＵＴ値に追従するものである。
【００４８】
このような閾値Ｌに基づいた制御が行われれば、上述のように映像信号自体の変化によりＡＰＬ値の微少な変化が続く場合にも、その変化が開始された時点（以下、初回変化点とする）のフレーム画像のＡＰＬ値からの総変化量が、所定値以上となったときに、ＡＰＣ制御値を現在のフレーム画像のＡＰＬ値に対応したものに追従させることができる。
つまり、これによって、入力映像信号自体の変化に応じた、適切なＡＰＣ制御を行うことが可能となるものである。
【００４９】
なお、ここでは、上記閾値ｋと閾値Ｌとは同一の値を設定するものとしたが、これらは別の値が設定されてもよい。
但し、ここでの閾値Ｌは、その値が大きくされるほど、ＡＰＣ制御値が現在のＡＰＬ値に追従しずらくなることから、この場合の閾値ｋと閾値Ｌとは同一の値とするか或いはできるだけ近い値を設定することが好ましいものとなる。
【００５０】
また、上記図８の説明によれば、図８（ａ）にて例示したように現在のフレーム画像のＡＰＬ値が、１つ前のフレーム画像のＡＰＬ値よりも大きくなる場合は、図８（ｂ）、図８（ｃ）にて説明したような本例のＡＰＣ制御が実行されないものとなる。つまり、ＡＰＣ制御値を固定する、フリッカ現象抑制のための動作を行わないようにしているものである。
本例において、このようにＡＰＬ値が増加する場合にフリッカ現象抑制のための動作を行わないものとしたのは、このように画面が明るく遷移するときの方が、画面が暗く遷移するときよりも、輝度レベルの変化が視覚的に感じ易くなってしまうことを考慮してのことである。
つまり、ＡＰＬ値が上昇傾向にあって画面が明るく遷移するとき、ＡＰＣ制御値が固定されると、仮にＡＰＬ値の変化がノイズ成分によるものではなかった場合に、設定された輝度が不自然であることが視覚的に感じ取られ易くなる傾向となる。つまり、これによってユーザに違和感を与える可能性が高くなる。そこで、本例では、このようにＡＰＬ値が増加する傾向にある場合は、常にルックアップテーブル３ａの値に追従させ、このような違和感を生じさせないようにしているものである。
また、このようにＡＰＬ値が増加する場合は本例としてのＡＰＣ制御動作を行わないようにすることによっては、ＡＰＬ値が増加する場合についてはＡＰＣ制御値固定のための諸処理を実行する必要がなくなり、その分の負担を低減できるというメリットもある。
【００５１】
続いては、上記のような本例としてのＡＰＣ制御動作を実現するために、図７に示したシステムコントローラ２が実行すべき処理動作について、次の図９のフローチャートを用いて説明する。
先ず、システムコントローラ２は、図示するステップＳ１０１の処理によって、フラグＦＬＧとして「１」を設定する。なお、このフラグＦＬＧについては後述する。
そして、ステップＳ１０２においては、１つ前のＡＰＬ値Ａと現在のＡＰＬ値Ｂと差が、閾値ｋよりも小さいか否かについての判別処理を行う。
つまり、図７に示したＡＰＬ検出回路１より供給された、１つ前のフレーム画像のＡＰＬ値と、現在のフレーム画像のＡＰＬ値とを比較した結果に基づき、これらの差分値（絶対値）が閾値ｋよりも小さいか否かについての判別処理を実行するものである。
【００５２】
このステップＳ１０２において、現在のＡＰＬ値と１つ前のＡＰＬ値との差分値が、上記閾値ｋよりも小さくなってはいないとされ、否定結果が得られた場合には、図示するようにステップＳ１０７に処理を進めて、ルックアップテーブル３ａの参照値がそのまま出力されるようにセレクタ５を制御するようにされる。
つまり、現在のフレーム画像の１つ前のフレーム画像からのＡＰＬ値の変化量が、上記閾値ｋに基づくノイズ成分による変化量を超えているとされた場合は、ＡＰＣ制御値として、現在のＡＰＬ値に対応したルックアップテーブル３ａの参照値をそのまま出力するようにするものである。
そして、ステップＳ１０７において、ルックアップテーブル３ａの参照値をそのまま出力させると、続くステップＳ１１２において、フラグＦＬＧとして「１」を設定して再びステップＳ１０２の処理を実行するようにされる。
【００５３】
また、ステップＳ１０２において、現在のＡＰＬ値と１つ前のＡＰＬ値との差分値が、上記閾値ｋよりも小さくなっているとして肯定結果が得られた場合は、ステップＳ１０３に処理を進めて、現在のフレーム画像のＡＰＬ値Ｂが、１つ前のフレーム画像のＡＰＬ値Ａよりも大きいか否かについての判別処理を実行する。
ステップＳ１０３において、現在のフレーム画像のＡＰＬ値Ｂが１つ前のフレーム画像のＡＰＬ値Ａよりも大きいとされ、肯定結果が得られた場合は、先に説明したステップＳ１０７の処理を実行するようにされる。
すなわち、先にも説明したように、現在のフレーム画像の方がＡＰＬ値が大きくなり、画面が明るくなる方向に遷移する場合は、常に現在のフレーム画像に対応したルックアップテーブル３ａの参照値が出力されるようになるものである。
一方、ステップＳ１０３において、現在のフレーム画像のＡＰＬ値Ｂが、１つ前のフレーム画像のＡＰＬ値Ａよりも大きくないとされて否定結果が得られた場合は、ステップＳ１０４に処理を進める。
【００５４】
ステップＳ１０４においては、フラグＦＬＧとして「１」が設定されているか否かについての判別処理を行う。
ここで、この場合のフラグＦＬＧとは、フレーム画像の遷移として、既にＡＰＬ値が徐々に低下する傾向にあるか否かの情報を示すものとなる。
具体的には、このフラグＦＬＧ＝０が設定されているときに、フレーム画像の遷移として既にＡＰＬ値が徐々に低下する傾向にあることを示すものである。これは、後述するステップＳ１１０として、１つ前から現在のフレーム画像への遷移で、ＡＰＬ値が微少に低下した場合に対応して、フラグＦＬＧ＝０を設定する処理が設けられていることによる。
このステップＳ１０４において、上記フラグＦＬＧが「１」である、つまり、フレーム画像の遷移としてＡＰＬ値が既に低下傾向とはなっておらす、現在のフレーム画像からＡＰＬ値の低下が開始されたと判別された場合は、ステップＳ１０５に処理を進めて、１つ前のルックアップテーブル３ａの参照値が出力されるように、セレクタ５を制御する。
すなわち、先の図８（ｂ）、図８（ｃ）にて示したように、現在のフレーム画像と１つ前のフレーム画像のＡＰＬ値との差分値が閾値ｋよりも小さく、且つ、このように現在のフレーム画像のＡＰＬ値が低下している場合には、ＡＰＣ制御値として、直前のフレーム画像のルックアップテーブル３ａの参照値に固定して出力するようにするものである。
【００５５】
そして、続くステップＳ１０６においては、１つ前のＡＰＬ値Ａを、初回変化点のＡＰＬ値Ｃとして保持する。
つまり、上記のようにＡＰＬ値が低下したときのフレーム画像よりも１つ前のフレーム画像のＡＰＬ値を、このようにＡＰＬ値の低下が開始された初回変化点のＡＰＬ値Ｃとして保持しておくようにするものである。このような初回変化点のＡＰＬ値Ｃを保持しておくことで、先の図８（ｃ）にて説明したような閾値Ｌに基づく制御を行うことが可能となる。
さらに、このステップＳ１０６の処理を実行すると、ステップＳ１１０に処理を進めて、フラグＦＬＧとして「０」を設定し、再び先のステップＳ１０３に処理を進める。このようにステップＳ１１０にてフラグＦＬＧ＝０が設定されることで、既にフレーム画像のＡＰＬ値が低下傾向にあることが示されるものである。
【００５６】
また、先のステップＳ１０４において、上記のように設定されたフラグＦＬＧ＝０が認識されて、既にフレーム画像のＡＰＬ値が低下傾向にあるとされた場合は、ステップＳ１０８に処理を進める。
このステップＳ１０８においては、初回変化点のＡＰＬ値Ｃと、現在のＡＰＬ値Ｂとの差が、閾値Ｌよりも小さいか否かについての判別処理を実行する。
ステップＳ１０８において、先のステップＳ１０６の処理により保持された初回変化点のＡＰＬ値Ｃと、ＡＰＬ検出回路１から供給される現在のフレーム画像のＡＰＬ値との差分値が、上記閾値Ｌよりも小さいとして肯定結果得られた場合は、ステップＳ１０９において、前と同じ制御値が出力されるようにセレクタ５を制御する。
つまり、先のステップＳ１０３において、現在のＡＰＬ値と１つ前のＡＰＬ値との差分値が閾値ｋよりも小さいとされ、且つ、上記ステップＳ１０８において、初回変化点のＡＰＬ値と現在のＡＰＬ値との差分値が閾値Ｌよりも小さいとされた場合は、ＡＰＣ制御値を、直前に出力された値に固定して出力するものである。
【００５７】
一方、ステップＳ１０８において、初回変化点のＡＰＬ値Ｃと現在のＡＰＬ値Ｂとの差分値が、閾値Ｌよりも小さくないとして否定結果が得られた場合は、ステップＳ１１１に処理を進めて、ルックアップテーブル３ａの参照値がそのまま出力されるように、セレクタ５を制御するようにされる。
つまり、ＡＰＬ値の低下の開始点から、ＡＰＬ値の総変化量が閾値Ｌよりも大きくなったことに応じて、現在のフレーム画像のＡＰＬ値に対応したルックアップテーブル３ａの参照値を出力するようにするものである。
そして、このようにルックアップテーブル３ａの参照値をそのまま出力させると、続くステップＳ１１２において、フラグＦＬＧ＝１を設定し、再び先のステップＳ１０２の処理を実行するようにされる。
このように、ステップＳ１１２にてフラグＦＬＧ＝１が設定されることによっては、以降の処理であるステップＳ１０４にてフラグＦＬＧ＝１が判別されて、ステップＳ１０５以降の処理が実行されるものとなる。
つまりこの場合、ステップＳ１１１によりＡＰＣ制御値が現在のフレーム画像のＡＰＬ値に追従した以降においては、ステップＳ１０６の処理によって初回変化点のＡＰＬ値として新たな値が設定されて、このような閾値Ｌに基づく制御動作がリセットされるようになるものである。
【００５８】
なお、図示はしていないが、この図９に示す処理動作は、電源がオフとされたことに応じるなどして終了されればよい。
また、先のステップＳ１０３において、現在のフレーム画像のＡＰＬ値と１つ前のフレーム画像のＡＰＬ値が同じ値となったときは、ＡＰＬ値が低下したものとして扱えばよい。
【００５９】
以上のようにして本実施の形態の映像信号処理装置では、入力映像信号に基づくフレーム画像間のＡＰＬ値の差分値が、閾値ｋを超えないときは、ＡＰＣ制御値を直前の値に固定するようにしている。つまり、フレーム画像間のＡＰＬ値が、上記閾値ｋに基づいて設定されるノイズ成分による微少な差分値の範囲内で変化する場合は、ＡＰＣ制御値を変化させないようにし、これによって、このようなノイズ成分によるＡＰＬ値の変化に、ＡＰＣ制御が追従しないようにしているものである。
【００６０】
このようにして、ノイズ成分にＡＰＣ制御を追従させないようにすることができれば、このようなノイズ成分に起因して発生する画面フリッカ現象の抑制を図ることができる。
そして、画面フリッカ現象の抑制が図られれば、表示画面のちらつきを抑えて表示画質の向上を図ることができる。
【００６１】
また、実施の形態では、このように閾値ｋ以下の範囲でＡＰＬ値が徐々に変化し、ＡＰＣ制御値として固定の値を出力した以降は、このようなＡＰＬ値の変化が開始された初回変化点のＡＰＬ値と現在得られるフレーム画像のＡＰＬ値との差分値を、閾値Ｌによって比較するようにしている。そして、この差分値が上記閾値Ｌを超えるのに応じて、ＡＰＣ制御値の固定を解除し、現在のフレーム画像に対応したルックアップテーブル３ａの参照値を出力するものとしている。
【００６２】
ここで、例えば先に説明した閾値ｋに基づく制御のみが行われた場合、この閾値ｋの範囲内でＡＰＬ値が変化する限りは、ＡＰＣ制御値の固定が継続されてしまうが、このような閾値Ｌに基づく制御が並列的に行われることにより、その総変化量が所定以上となった場合に、ＡＰＣ制御値を現在のフレーム画像のＡＰＬ値に追従させることができる。
つまり、このような制御によれば、上記のような閾値ｋの範囲内でのＡＰＬ値の変化が、ノイズによるものではなく映像信号自体の変化によるものであった場合に、その総変化量が所定以上となるのに応じてＡＰＣ制御値の固定状態を解除することができる。すなわち、この場合、入力映像信号に基づく適切なＡＰＣ制御を図ることができるようになるものである。
【００６３】
このようにして、本実施の形態の映像信号処理装置によれば、ノイズ成分にＡＰＣ制御を追従させずに画面フリッカ現象を防止することと、映像信号自体の変化による平均輝度レベルの変化に追従して、適切なＡＰＣ制御を図ることの両立を図ることができるようになる。
【００６４】
なお、先にも述べたように実施の形態では、フレーム画像のＡＰＬ値が低下する傾向となる場合にのみ、ＡＰＣ制御値の固定を行うものとしたが、勿論、ＡＰＬ値が増加する傾向となる場合についても、同様にＡＰＣ制御値の固定、及び閾値Ｌに基づいた制御を行うようにされてもよい。
【００６５】
また、この場合、実際のＡＰＬ値の変化としては、先の図８（ｃ）に示したように閾値ｋ以下の範囲内で徐々に低下して閾値Ｌに基づく制御が行われている下で、例えばノイズ成分の影響により微少に上昇する場合も考えられる。
このような場合、先の図９に示した動作によると、ＡＰＬ値の上昇時には、常にＡＰＣ制御値を現在のフレーム画像のＡＰＬ値に追従させているから、この場合の微少なＡＰＬ値の上昇に応じては、閾値Ｌに基づく制御がリセットされてしまうことになる。
しかしながら、この場合におけるＡＰＬ値の微少な上昇は、ノイズ成分によるものである可能性が高い。このことから、このような閾値Ｌに基づく制御が行われる下では、ＡＰＬ値が上昇し、且つその上昇が微少範囲である場合（例えば閾値ｋを超えない範囲である場合）には、ＡＰＣ制御値の固定を継続するようにしてもよい。
【図面の簡単な説明】
【００６６】
【図１】本発明における、実施の形態としての映像信号処理装置が内蔵されるプラズマディスプレイ装置のディスプレイパネルの構造を示す斜視図である。
【図２】実施の形態のプラズマディスプレイ装置の構成を、電極ドライバと電極とにより示す図である。
【図３】実施の形態のディスプレイパネルにおけるＲ，Ｇ，Ｂセルと、画素との関係を示す図である。
【図４】実施の形態で適用されるサブフィールドパターンの例を示す図である。
【図５】サブフィールド方式における電極の駆動（電圧印加）タイミング例を示すタイミングチャート（波形図）である。
【図６】実施の形態のディスプレイパネルにおける表示原理を説明するための、ディスプレイパネルの断面図である。
【図７】実施の形態の映像信号処理装置の構成例について示すブロック図である。
【図８】実施の形態の映像信号処理装置が行う動作について模式的に示した説明図である。
【図９】実施の形態の映像信号処理装置において行われるべき処理動作について示したフローチャートである。
【符号の説明】
【００６７】
１  ＡＰＬ検出回路、２  システムコントローラ、３  ＲＯＭ、３ａ  ルックアップテーブル（ＬＵＴ）、３ｂ  ＡＰＣプログラム、４  ＲＡＭ、５  セレクタ、６  表示輝度レベル制御回路
【図１】
2005123957.tif 000003
【図２】
2005123957.tif 000004
【図３】
2005123957.tif 000005
【図４】
2005123957.tif 000006
【図５】
2005123957.tif 000007
【図６】
2005123957.tif 000008
【図７】
2005123957.tif 000009
【図８】
2005123957.tif 000010
【図９】
2005123957.tif 000011